(57)【要約】【課題】ベルトコンベヤにより所要数山積状態で搬送されてくるワークを左右一対のスパイラルロールにより、迅速かつ高能率に同一方向に整列させこれを所要数毎に仕切り、次段の装置へ送出するようにした。【解決手段】本発明のスパイラルフィーダーは、上記課題を解決することを目的とし、ワークを山積状態で搬送するベルトコンベヤと、ベルトコンベヤに直交して設けた左右一対のスパイラルロールと、スパイラルロールの下方に、落下してくるワークを受ける傾斜ワークシューと、ワークを所要数毎に仕切って送出するワーク仕切り送出装置とからなり、スパイラルロール間の側方所要部位に、ワークが検出されなかった時ベルトコンベヤの駆動装置を再起動するワーク検知装置を、また傾斜ワークシューの終端側所要部位に、ワークが予め設定された数量以上に達したことを検知する満杯検知装置をそれぞれ設けたものである。【選択図】図１
2005200168.tif 000002
【特許請求の範囲】
【請求項１】
所要数のワークを山積状態で搬送するベルトコンベヤと、前記ベルトコンベヤの終端側に、前記ベルトコンベヤに直交して設けた左右一対のスパイラルロールと、前記左右一対のスパイラルロールの下方に、前記左右一対のスパイラルロールの間から落下するワークを受けて降下可能に傾斜状に配設された傾斜ワークシューと、前記傾斜ワークシューの終端部において、ワークを所要数毎に仕切って送出可能に設けたワーク仕切り送出装置とからなり、前記スパイラルロール間の側方所要部位に、ワークが検出されなかった時ベルトコンベヤの駆動装置を再起動するための光電スイッチ等からなるワーク検知装置を、また前記傾斜ワークシューの終端側所要部位に、ワークが予め設定された数量以上に達したことを検知するためのリミットスイッチ等からなる満杯検知装置をそれぞれ設けたことを特徴とするスパイラルフィーダー
【発明の詳細な説明】
【技術分野】
【０００１】
本発明はベルトコンベヤによって所要数山積状態で搬送されてくるワークを左右一対のスパイラルロールにより同一方向に整列させて下方の傾斜ワークシュー上に落下し、さらに前記ワークを所要数（１個または複数個）毎に仕切り、次段の装置へ送出するスパイラルフィーダーに関するものである。
【背景技術】
【０００２】
従来、鋲螺等の部品を、並列に配設した一対のローラーと、その上方に配設した不整列鋲螺排除ブラシとの組合せによる相乗作用によって同一方向に整列させて移送するようにしたフィーダーとして、例えば特開平７−３００２２１号公報などが公知である。
【特許文献１】特開平７−３００２２１号公報
【発明の開示】
【発明が解決しようとする課題】
【０００３】
ところが、上記従来技術は、鋲螺等の部品を並列に配設した一対のローラーと、その上方に配設した不整列鋲螺排除ブラシとの組合せによる相乗作用によって同一方向に整列させて移送するようにしたものであるため、一対のローラー以外に鋲螺排除ブラシを必要とし、その分構造が複雑となる問題点があったばかりでなく、鋲螺は一対のローラー上へ個々の状態で供給されてくるものを同一方向に整列させて移送するものであり、山積状態で供給されてくるものを高能率に同一方向に整列させて移送することができない等の問題点があった。
【課題を解決するための手段】
【０００４】
本発明のスパイラルフィーダーは、上記課題を解決することを目的とし、所要数のワークを山積状態で搬送するベルトコンベヤと、前記ベルトコンベヤの終端側に、前記ベルトコンベヤに直交して設けた左右一対のスパイラルロールと、前記左右一対のスパイラルロールの下方に、前記左右一対のスパイラルロールの間から落下するワークを受けて降下可能に傾斜状に配設された傾斜ワークシューと、前記傾斜ワークシューの終端部において、ワークを所要数毎に仕切って送出可能に設けたワーク仕切り送出装置とからなり、前記スパイラルロール間の側方所要部位に、ワークが検出されなかった時ベルトコンベヤの駆動装置を再起動するための光電スイッチ等からなるワーク検知装置を、また前記傾斜ワークシューの終端側所要部位に、ワークが予め設定された数量以上に達したことを検知するためのリミットスイッチ等からなる満杯検知装置をそれぞれ設けたことを特徴とする。
【発明の効果】
【０００５】
本発明に係るスパイラルフィーダーは、所要数のワークを山積状態で搬送するベルトコンベヤと、前記ベルトコンベヤの終端側に、前記ベルトコンベヤに直交して設けた左右一対のスパイラルロールと、前記左右一対のスパイラルロールの下方に、前記左右一対のスパイラルロールの間から落下するワークを受けて降下可能に傾斜状に配設された傾斜ワークシューと、前記傾斜ワークシューの終端部において、ワークを所要数毎に仕切って送出可能に設けたワーク仕切り送出装置とからなり、前記スパイラルロール間の側方所要部位に、ワークが検出されなかった時ベルトコンベヤの駆動装置を再起動するための光電スイッチ等からなるワーク検知装置を、また前記傾斜ワークシューの終端側所要部位に、ワークが予め設定された数量以上に達したことを検知するためのリミットスイッチ等からなる満杯検知装置を設けたものであるから、所要数山積状態でベルトコンベヤにより搬送されるワークを、前記ベルトコンベヤーに対し、直交状態に設けた左右一対のスパイラルロールにより同一方向に整列して迅速に下方に位置する傾斜ワークシュー上に払い出し、さらに前記傾斜ワークシューの終端部側に設けたワーク仕切送出装置により、前記ワークを所要数毎に仕切って次段の、例えば加工装置等へ送出することができるので多量のワークを安定した状態で高能率に移送することができる。また、本発明は装置全体の構成が簡単で部材も少ないので従来のフィーダーに比しきわめて安価に供給することができ、経済効果大なるものである。
【発明を実施するための最良の形態】
【０００６】
本発明は、所要数のワークを山積状態で搬送するベルトコンベヤと、前記ベルトコンベヤの終端側に、前記ベルトコンベヤに直交して設けた左右一対のスパイラルロールと、前記左右一対のスパイラルロールの下方に、前記左右一対のスパイラルロールの間から落下するワークを受けて降下可能に傾斜状に配設された傾斜ワークシューと、前記傾斜ワークシューの終端部において、ワークを所要数毎に仕切って送出可能に設けたワーク仕切り送出装置とからなり、前記スパイラルロール間の側方所要部位に、ワークが検出されなかった時ベルトコンベヤの駆動装置を再起動するための光電スイッチ等からなるワーク検知装置を、また前記傾斜ワークシューの終端側所要部位に、ワークが予め設定された数量以上に達したことを検知するためのリミットスイッチ等からなる満杯検知装置をそれぞれ設けたことを特徴とするスパイラルフィーダーを提供する。
【実施例】
【０００７】
以下、図面を参照して本発明に係るスパイラルフィーダーの実施の形態を詳細に説明する。
図１は本発明の実施の形態を示す平面図である。図２は本発明の実施の形態を示す正面図である。図３は本発明の実施の形態を示す側面図である。図４は本発明の実施の形態を示す動作説明図である。
【０００８】
図１〜３において、１はワーク２（例えば、ギヤー用ローラー等のように肉厚パイプ状のもの等）を搬送するベルトコンベヤ、３は前記ベルトコンベヤ１からワーク２が溢れ落ちないようにするためのガイド鉄板、４は左右一対のスパイラルロール、５は前記スパイラルロール４により整列されその隙間から落下したワーク２を受けて次工程へ案内する傾斜ワークシュー、６は前記ベルトコンベヤ１の駆動装置、７は前記スパイラルロール４を駆動する駆動装置、８はワーク２が検知されなかった時ベルトコンベヤ１の駆動装置７を再起動するための光電スイッチ等からなるワーク検知装置、９は前記傾斜ワークシュー５から流れてきたワーク２が予め設定された数量以上に達したことを検知するためのリミットスイッチ等からなる満杯検知装置、１０は前記傾斜ワークシュー５から順次流れてきたワーク２を次工程の要求するタイミングで１個づつ繰り出すためのワーク仕切り送出装置である。
【０００９】
次に図４によりスパイラルロール４による整列繰り出し動作を説明する。
ベルトコンベヤ１上には順次箱詰めされたワーク２が山積状態で載置され搬送される。ベルトコンベヤ１上のワーク２はスパイラルロール４の側方に配設されたワーク検知装置８によりワーク２が検知されるまで搬送されるから該スパイラルロール４上に所定量のワーク２が供給されてくる。供給されたワーク２は下方のワーク２から順にワーク２の外周が左右のスパイラルロール４の突起部４aに当接して夫々相反する方向の軸方向に前進するように作用して結果としてワーク２は旋回し、ワーク２は円周方向の直径よりも巾方向の長さが必ず小さく製作されているので丁度９０度旋回した所でスパイラルロール４の隙間から自重で下方に落下し斜めに架設されている傾斜ワークシュー５上に落下して次工程のワーク仕切り送出装置１０に順次転がり移送される。５aはワーク２が傾斜ワークシュー５から横方向に落下しないためのワークシューガイドである。また前記スパイラルロール４の周速は適宜設定されるものであるが突起部４aで例えば６m/min程度にするとよい。またスパイラルロール４の隙間の設定はワーク巾に０．５〜１mm加えた巾に設定するとよい。これがために図４矢示の如く一方または両方のスパイラルロール４およびワークシューガイド５aを移動自在に構成する。なお、ワーク２は円周方向の直径とワークの巾との差は３mm以上に構成するのが好ましい。スパイラルのピッチは１４〜１６mmが標準であるがワークに応じて適宜そのピッチが選定されることは勿論である。満杯検知装置９はワーク２の満杯を検出すると直ちにスパイラルロール４の駆動装置７およびベルトコンベヤ１の駆動装置６を停止するように制御する。
【産業上の利用可能性】
【００１０】
なお、本実施例では、ギヤー用ローラー等の肉厚パイプ状のワークのフィーダーについて説明したが、これに限らず、他のワークのフィーダーにも適用できることは勿論である。
【図面の簡単な説明】
【００１１】
【図１】図１は本発明の実施の形態を示す平面図である。
【図２】本発明の実施の形態を示す正面図である。
【図３】本発明の実施の形態を示す側面図である。
【図４】本発明の実施の形態を示す動作説明図である。
【符号の説明】
【００１２】
１       ベルトコンベヤ
２       ワーク
３       ガイド鉄板
４       スパイラルロール              
５       傾斜ワークシュー              
６       駆動装置
７       駆動装置
８       ワーク検知装置
９       満杯検知装置
１０    ワーク仕切り送出装置
【図１】
2005200168.tif 000003
【図２】
2005200168.tif 000004
【図３】
2005200168.tif 000005
【図４】
2005200168.tif 000006